(57)【要約】第１の開口及び第２の対向開口を有する内装部を画成するシャーシを備える配電盤である。盤は、底部と、第１の面と、第２の面の付いたモジュールを含み、電力入力端子と、複数の電力出力端子と、各電力出力端子を電力入力端子に接続する電気回路で、回路保護装置を含む電気回路と、を含む。電力入力端子、電力出力端子及び回路保護装置は、第１又は第２の面の一方に装着してある。モジュールは第１の開口を介して収容され、内装部に着脱可能に装着してあり、もってモジュールをシャーシ内に装着したとき、電力入力端子、電力出力端子及び回路保護装置は、第１及び第２の開口の一方を介してアクセス可能に構成される。モジュールは、配電盤シャーシ内に着脱可能に装着されるよう構成された配電部品及び回路を含む。
2006510339.tif 000002
【特許請求の範囲】
【請求項１】
シャーシと、モジュールと、から成る配電盤であって、
前記シャーシは、第１の開口及び第２の対向開口を備える内装部とを画成する上部、底部及び一対の対向側部を含み、前記側部の各々は前記シャーシをラックに装着するようなされたフランジを有しており、
前記モジュールは、底部と、第１の面と、第２の面を備え、かつ、電力入力端子と、複数の電力出力端子と、各電力出力端子を前記電力入力端子に接続する電気回路を有し、各回路は回路保護装置を有しており、
前記電力入力端子、前記電力出力端子及び前記回路保護装置は、前記第１及び第２の面の一方に装着されており、
前記モジュールは、前記第１の開口から収容されて前記内装部内に着脱自在に取り付けられるよう構成されている、配電盤において、
前記電力入力端子、前記電力出力端子及び前記回路保護装置は、前記モジュールを前記シャーシ内に装着したときに前記第１及び第２の開口のうちの一方を介してアクセス可能である７ことを特徴とする配電盤。
【請求項２】
前記モジュールを前記シャーシ内に装着したときに、前記電力入力端子と前記電力出力端子を前記第２の開口を介してアクセス可能とし、前記回路保護装置を前記第１の開口を介してアクセス可能とした、請求項１記載の配電盤。
【請求項３】
前記第２の開口は、前記電力入力端子用の第１の部分と前記電力出力端子用の第２の部分とを含み、前記第１の部分は前記第２の部分と連通している、請求項１記載の配電盤。
【請求項４】
前記第２の開口は前記電力入力端子用の第１の部分と前記電力出力端子用の第２の部分とを含み、前記第１の部分は前記第２の部分とは切り離してある、請求項１記載の配電盤。
【請求項５】
低電圧検出回路が前記電力入力端子に接続してあり、低電圧状態を検出したときに低電圧警報信号を生成する、請求項１記載の配電盤。
【請求項６】
前記低電圧検出回路は表示灯を含み、前記低電圧状態が検出されたときに前記低電圧警報が前記表示灯を照光し、前記モジュールを前記シャーシ内に装着したときに前記表示灯は前記モジュールの前記第１の表面に装着し、前記第１の開口を介して視認可能とした、請求項５記載の配電盤。
【請求項７】
前記モジュールを前記シャーシ内に装着したときに、前記モジュールの第１の面が前記第１の開口を閉じ、前記モジュールの前記第２の面が前記第２の開口を閉じる、請求項１記載の配電盤。
【請求項８】
各回路内の前記回路保護装置が回路遮断器を含む、請求項１記載の配電盤。
【請求項９】
各回路内の前記回路保護装置がヒューズを含む、請求項１記載の配電盤。
【請求項１０】
前記モジュールは第１のモジュールであり、前記盤が前記第１のモジュールの鏡像として構成された第２のモジュールを含む、請求項１記載の配電盤。
【請求項１１】
前記第１と第２のモジュールのそれぞれが警報回路と警報回路コネクタを含み、該警報回路コネクタを前記背面を介してアクセス可能とした、請求項１０記載の配電盤。
【請求項１２】
前記モジュールは両側に一対のエッジを含み、前記内装部が前記エッジを受ける一対の案内レールを含み、前記エッジが前記案内レール内にある状態で前記入力及び出力端子は前記第２の開口内に延出するよう配置する、請求項１記載の配電盤。
【請求項１３】
前記シャーシは背面を含み、該背面が前記第２の開口を含む、請求項１記載の配電盤。
【請求項１４】
前記第２の開口は前記電力入力端子用の第１の部分と電力出力端子用の第２の部分とを含み、前記第１の部分は前記第２の部分に連通させてある、請求項１３記載の配電盤。
【請求項１５】
前記第２の開口は前記電力入力端子用の第１の部分と電力出力端子用の第２の部分とを含み、前記第１の部分は前記第２の部分とは切り離してある、請求項１３記載の配電盤。
【請求項１６】
前記モジュールは警報回路と警報回路コネクタを含み、前記警報回路コネクタは前記背面を介してアクセス可能とした、請求項１３記載の配電盤。
【請求項１７】
前記背面が少なくとも一つの接地ポストを含む、請求項１３記載の配電盤。
【請求項１８】
配電モジュールであって、
第１の端部及び対向する第２の端部を有する床面付き基台であって、第１の面が前記第１の端部に隣接して前記床面から上方へ延び、第２の対向する面が前記第２の端部に隣接して前記床面から上方へ延びる床面付き基台と、
前記第１と第２の面のうちの一つに装着した電力入力端子と、
前記第１と第２の面のうちの一つに装着した複数の電力出力端子と、
各電力出力端子を前記電力入力端子に接続する回路であって、それぞれが回路保護装置を含み、各回路保護装置を前記第１と第２の面のうちの一つに装着した回路と、
前記基台が開口する上部及び開口する側部を有することと、
から成る配電盤。
【請求項１９】
前記電力入力端子と前記電力出力端子は前記第１と第２の面の同一面に装着し、前記回路保護装置は前記第１と第２の面の他方に装着した、請求項１８記載の配電モジュール。
【請求項２０】
前記基台の床面は複数の換気孔を含む、請求項１８記載の配電モジュール。
【請求項２１】
前記基台は前記第１の端部から前記第２の端部の方向へ延びる二つの対向エッジを含む、請求項１８記載の配電モジュール。
【請求項２２】
前記電力入力端子に低電圧検出回路が接続してあり、低電圧状態の検出時に低電圧警報信号を生成する、請求項１８記載の配電モジュール。
【請求項２３】
前記低電圧検出回路は表示灯を含み、前記低電圧状態の検出時に前記低電圧警報が前記表示灯を照光し、前記表示灯は前記モジュールの前記第１の面に装着した、請求項２２記載の配電モジュール。
【請求項２４】
配電盤内の配電回路の交換方法であって、
前面開口、背面開口及び内装部を画成する上部、底部及び一対の対向側部を有するシャーシ内に着脱可能に装着され、かつ、複数の電力出力端子と、電力入力端子と、前記電力入力端子を各電力出力端子に接続し、かつ、回路保護装置を備える回路と、から成るモジュールを画成するトレイに装着された配電回路を提供するステップと、
前記モジュールの電力入力端子から全ての電力入力ケーブルを切り離すステップと、
前記モジュールの複数の電力出力端子から全ての電力出力ケーブルを切り離すステップと、
前記前面開口を介して前記シャーシから前記モジュールを取り除くステップと、
複数の電力出力端子と、電力入力端子と、前記電力入力端子を各電力出力端子に接続し、かつ、回路保護装置を有する回路と、から成る交換モジュールを前記前面開口を介して前記シャーシ内に挿入するステップと、
から成ることを特徴とする交換方法。
【請求項２５】
前記モジュールは第１のモジュールであり、さらに該第１のモジュールに隣接配置した第２のモジュールを備え、該第２のモジュールが複数の電力出力端子と電力入力端子と各電力出力端子に前記電力入力端子を接続する回路でそれぞれが回路保護装置を含む前記回路とを含む、請求項２４記載の方法。
【請求項２６】
前記第１のモジュールと前記第２のモジュールは前記前面開口を介して前記内装部内に独立して装着する、請求項２５記載の方法。
【請求項２７】
前記第１のモジュールと前記交換モジュールと前記第２のモジュールはそれぞれ、各個別モジュールが担持する警報回路で各個別モジュールの背部に隣接配置する警報回路コネクタを有する前記警報回路を含む、請求項２６記載の方法。
【請求項２８】
前記第１のモジュールを取り除くステップと前記交換モジュールを挿入するステップは、前記第２のモジュールへ電力を供給して前記第２のモジュールの前記警報回路をアクティブとした間に行なう、請求項２７記載の方法。
【請求項２９】
シャーシと、一対の配電モジュールと、から成る配電盤であって、
前記シャーシは、協働して内装部と、この内装部内に貫通する前面開口と、を画成する上部、底部、一対の対向側部及び背面壁を備え、前記背面壁が複数の開口を有しており、
前記モジュールは、前記内装部内に離脱可能に装着され、前記前面開口を摺動して取り外し可能とされており、
各モジュールは、電力入力端子と、複数の電力出力端子と、各電力出力端子を前記電力入力端子に接続し、かつ、回路保護装置を備える回路と、を有しており、
前記電力入力端子及び前記電力出力端子は、前記シャーシ内の前記背面壁内の前記開口の一つを通って延びており、
前記回路保護装置は、前記シャーシの前記前面開口を介してアクセス可能とされている、ことを特徴とする配電盤。
【請求項３０】
各モジュールの前記電力入力端子と前記電力出力端子は前記シャーシの前記背面壁内の同一開口を通って延びる、請求項２９記載の配電盤。
【請求項３１】
各モジュールの前記電力入力端子と前記電力出力端子は前記シャーシの前記背面壁内の別個の開口を通って延びる、請求項２９記載の配電盤。
【請求項３２】
各モジュールが警報回路と警報回路コネクタとを含み、各モジュールの前記警報回路コネクタが前記シャーシの前記背面壁内の前記開口のうちの一つを通って延びる、請求項２９記載の配電盤。
【請求項３３】
各モジュールが一対の対向端を含み、前記内装部が各モジュールの前記対向エッジを摺動可能に受け入れる一対の案内レールを含み、前記対向エッジと案内レールが前記開口に隣接してそこから前記背面壁へ向け延びる、請求項２９記載の配電盤。
【請求項３４】
前記モジュールがそれぞれ前記回路保護装置を装着する前面を含む、請求項２９記載の配電盤。
【請求項３５】
各盤の前記前面が前記シャーシの前記上部から前記底部へ延びて前記前面開口の一部を閉塞し、前記二つの前面が協働して前記前面開口をほぼ閉じる、請求項３４記載の配電盤。
【請求項３６】
前記第１のモジュールと前記第２のモジュールは前記前面開口を介して前記内部に独立装着した、請求項２９記載の配電盤。
【請求項３７】
低電圧検出回路が前記電力入力端子に接続してあり、低電圧状態の検出時に低電圧警報信号を生成する、請求項２９記載の配電盤。
【請求項３８】
前記低電圧検出回路は表示灯を含み、前記低電圧状態の検出時に前記低電圧警報が前記表示灯を照光し、該表示灯は前記モジュールの前記第１の面に装着した、請求項３７記載の配電盤。
【請求項３９】
前記低電圧警報信号が前記電力入力端子を前記電力出力端子から切り離す、請求項３８記載の配電盤。
【請求項４０】
配電盤用シャーシであって、
協働して内装部及び該内装部内に通ずる前面開口を画成する上部と、底部と、一対の対向側部と、複数の開口を備える背面壁と、
前記背面壁へ装着した共通接地ポストと、
各側部に隣接して前部内装部内にあり、前面開口を介してアクセス可能で前記前面開口に隣接してそこから前面背面壁へ向けて延びる外側案内レールと、
前記対向側部の中間を前記前面開口を横切って前記上部から前記底部へ延び、前記前面開口を第１の半体と第２の半体に分割する中央支持体と、
前記前面開口に隣接してそこから前記背面壁へ向かって延びる前記内装部内の一対の内側案内レールであって、各々が各外側案内レールに平行に対向しており、前記内側案内レールの一つを前記前面開口の前記第１の半体を介してアクセス可能とし、前記内側案内レールの一つを前記前面開口の前記第２の半体を介してアクセス可能とした、内側案内レールと、
から成ることを特徴とする配電用シャーシ。
【発明の詳細な説明】
【技術分野】
【０００１】
本出願は、２００３年１２月１２日に在米国営企業であるＡＤＣテレコミュニケーションズ社（ＡＤＣ  Ｔｅｌｅｃｏｍｍｕｎｉｃａｔｉｏｎｓ，  Ｉｎｃ．）の名においてＰＣＴ国際特許出願として出願されたものであり、米国以外の全ての国を指定し、２００２年１２月１３日出願の米国特許出願第１０／３１９，４５６号に基づき優先権主張するものである。
本発明は、概ね配電盤に関する。より詳しくは、本発明はモジュール式挿入物を有する配電盤に関する。
【背景技術】
【０００２】
遠隔通信設備では、しばしば機器を機器ラックに装着する。これらのラックにより、この機器向け実装のより大きな密度と組織が可能になる。ラック内に装着する機器に対する電力供給を簡単化すべく、配電盤を同一ラック内に装着することがある。これらの配電盤は、より高容量の電源ケーブルを取り付けることのできる１以上の入力端子を有する。盤内には、電力入力端子から１以上の電力出力端子へ電流を配給する回路網がある。出力端子からは、電気ケーブルをラック内に装着された遠隔通信機器へ導くことができる。配電盤内の回路には、回路遮断器やヒューズ等の回路保護装置もまた含まれよう。
【０００３】
遠隔通信機器に充てることのできるラック空間の量を最大化するには、配電盤を出来得る限りコンパクトにすることが望ましい。盤のコンパクトな大きさが、例えば修理や定期保守に向けた盤内装部のアクセスを困難にすることがある。しかしながら、ラックからの盤の取り外しがそのラック内の機器の修理又は保守期間中の給電停止を招くことがある。機器と全回路を取り外すことにより、機器は逸失歳入の見地からサービスコスト上でサービス提供者を支援しよう。
【発明の開示】
【発明が解決しようとする課題】
【０００４】
配電盤の多くは、単一の盤内に２以上の個別離散的配電回路を含む。しばしばこれらの回路のうちの一つだけが修理或いは保守を必要とするが、ラックから盤を取り外したときに両回路はオフライン状態としなければならない。盤の全回路を稼働状態から外すことなく修理や保守向けに配電盤内の個別回路へアクセスできるようにする配電盤に対する改善が、望ましい。
【課題を解決するための手段】
【０００５】
本発明は、配電部品と回路網を着脱可能なモジュール内に装着した配電盤に係る。モジュールは、盤内の他のモジュールを一切切り離すことなく配電盤から取り外すことができる。
【０００６】
本発明はさらに、他のデバイスへ配電する部品や回路を含むモジュールに関するものである。モジュールは、シャーシ内に取り外し可能に装着されて配電盤を形成するよう設ける。このモジュールは、シャーシに装着された他のモジュールを妨害することなくシャーシ内に挿入或いは取り外しすることができる。
【０００７】
本発明はさらに、配電盤の配電モジュールの交換方法に関する。
【発明を実施するための最良の形態】
【０００８】
明細書に組み込みかつその一部を構成する添付図面は、本発明の幾つかの態様を例示し、説明と併せ本発明原理の説明に役立つものである。図面の簡単な説明は、後記する。ここで、添付図面に示した本発明の例示態様を詳しく参照することにする。出来得る限り、同一又は同様の部分を指すのに図面全体で同一の参照符号を用いることにする。
【０００９】
図１と図２に示した盤１０等の配電盤は、機器ラックに装着する遠隔通信や他の電子機器への電力供給に用いることができる。遠隔通信或いは他の電子機器は供給される電力の変動に敏感であり、過電流や過電圧状態により損害を蒙ることがある。かくして、盤１０には前面１４に装着する複数の回路保護装置１２が含まれる。盤１０は、盤１０各側の二つのモジュール１６のそれぞれに一つずつ二つの個別電力バスを含む。図１に示した各モジュール１６は４個の回路保護装置１２を有しており、それらはＴＰＡ型ヒューズとして図示してあり、各ヒューズ１２が各モジュール１６内の４個の給電回路の一つに対し過電流及び過電圧保護をもたらす。
【００１０】
図１と図２に示した各モジュール１６は、二つの電源から電力を受け取る２組の電力入力端子２２を含む。各組の端子２２は、モジュール１６内の回路網によりヒューズ１２を介して複数の電力出力端子２４へ電気的に連結してある。モジュール１６内の異なる部品間の電気的結線が、モジュール１６用の回路図である図１４に図示してある。モジュール１６の付加的な詳細は、図９乃至図１４に関して後述する。
【００１１】
電源回路内の高電流が機器に害を及ぼすことがある一方で、低電圧状態もまた機器の機能に対し逆の影響を及ぼそう。かくして、各電力入力端子２２には電力入力接触器２６を接続し、回路基板７０上の低電圧検出回路にも接続してある。基板７０上の低電圧検出器のうちの一つが電力入力の一つの低電圧状態を検出すると、その検出器が警報を発生し、どの電力入力端子２２が低電圧源に接続されているかを指示するよう前面１４内に同様に装着された関連する低電圧警報ランプ１８を照光する。警報が発生した時点で、低電圧検出器が接触器２６に発信し、これが翻ってヒューズ１２からの入力源と電力出力端子２４とを切り離す。また、前面１４に装着されているのは、関連入力端子から電力が供給されているかどうかを指示する各電力入力端子２２に関連する給電指示ランプ２０である。
【００１２】
盤１０は、協働して内装部３４を画成する上部２８と底部３０と一対の側部３２と有するシャーシ３８とを含む。各側部３２沿いに取り付けたのは、装着フランジ３６である。フランジ３６は、機器ラックや電力管理を必要とする電子機器に隣接する他の構造への盤１０の装着を容易にする。前面エッジ４２に隣接する上部２８には、複数の換気孔４０が存在する。孔４０は、前面エッジ４２からほぼ４５度傾斜させてある。孔４０は、内装部３４からの被加熱空気の排気をもたらす。孔４０の傾斜は、万が一盤１０内の部品が過熱状態となった場合にフレームの広がりの制御に役立つ。遠隔通信機器用の換気孔の傾斜は、その開示内容を本願明細書に援用する共有に係る米国特許出願第０９／７２５，３３９号にさらに詳しく開示されている。シャーシ１０の追加の詳細を、図１５乃至図１９に関して以下に提供する。
【００１３】
ここで図４と図１５と図１６を参照するに、盤１０は上部２８と底部３０と側部３２と併せさらに内装部３４を画成する背面壁４４を含む。一対の開口４６が、背面壁４４内に画成してある。電力入力コネクタ２２と電力出力コネクタ２４が、開口４６を通って延びている。同様に背面壁４４内に画成したのが、複数の警報コネクタ４８がそこを通って延びる一対の開口５０である。警報コネクタ４８により、モジュール１６内のヒューズ２０の状態の遠隔監視が可能となる。開口４６間の背面壁４４に装着したのは、機器ラックやラックに装着する他の機器を接地するのに用いることのできる共通接地源をもたらす接地ポスト５２である。複数の取り外し可能な固締具５４がモジュール１６の前面１４を通って延び、モジュール１６を盤１０へ解離可能に固締するのに役立っている。モジュール１６を盤１０へ固締するのにより多数又は少数の固締具５４を含めることができるが、全ての固締具は盤１０の前面又は背面からアクセス可能であり、盤１０の上部或いは底部からアクセスする必要はない。固締具５４の位置決めが、機器ラックから盤１０を取り外したり盤１０の上方或いは下方に隣接するこの種のラック内に装着された機器を取り外したりすることなく、モジュール１６を取り外して盤１０内に挿入できるようにしている。
【００１４】
ここで図５と図６を参照するに、複数の換気孔４１が背面エッジ４３に隣接させて底部３０内に配置してある。孔４１は、上部２８内の孔４０と同様傾斜させてある。背面エッジ４３に隣接する孔４１と前面エッジ４２に隣接する孔４０との組み合わせが、上記参照した共有に係る出願中に記載されている如く、盤１０内に交叉換気空気流路を促す。
【００１５】
ここで図９乃至図１３を参照するに、モジュール１６はモジュール１６の床面を形成するトレイ６８を含む。前面壁１４が、トレイ６８の一端から垂直に延びている。トレイ６８の対向端部には、垂直背面壁５６がある。前面壁１４と背面壁５６とトレイ６８は協働し、モジュール１６の内装部５５を画成している。モジュール１６の部品は、トレイ６８と前面壁１４と背面壁５６のうちの一つに対し内装部５５内に装着する。前面壁１４は、前面壁１４の両側から延びる一対の装着フランジ７２内の固締具開口５８を含む。トレイ５６の最大幅は、モジュール１０内へモジュール１６を装着する摺動レールも形成する一対の対向側部７４により画成される。
【００１６】
各電力入力端子２２は、中央分割壁６６付きのハウジング６４を含む。分割壁６６の両側には、一対の電池コネクタポスト６０と一対の戻りコネクタポスト６２が存在する。電池コネクタと戻りコネクタは共にそれぞれ一対のポスト６０，６２を使用し、電源からのケーブルとの接触を改善し、端子２２を介する電力の伝送を助ける。ポスト６０，６２は電力入力端子２２を通り、さらに背面壁５６を通って内装部５５内に延びている。回路網（図１４参照）が、ポスト６０，６２を接触器２６と給電ランプ２０とヒューズ１２と電力出力端子２４へ連結している。各電力出力端子２４は、戻りポスト７６と電池ポスト７８を含む。この回路網は、入力端子２２と出力端子２４の間の電流の給送と配給に資するバスバーや導線や他種の導電体を含もう。
【００１７】
モジュール１６内には、入力端子２２を介して入力される電力内で低電圧状態を検出し、低電圧状態を検出した場合に低電圧警報を発信して回路を遮断するために接触器２６をトリガする論理回路を含む回路基板７０がある。基板７０はまた、電力出力コネクタ２４を介して給送される電力の問題すなわち遮断を発信するヒューズ警報をトリガする目的でヒューズ１２に連結してある。低電圧警報の場合には、回路基板７０はランプ１８もトリガして照光させ、一方で端子２２からの入力電力の遮断が関連給電ランプ２０もまた遮断しよう。ヒューズ警報の場合には、回路基板７０は警報コネクタ４８を介して遠隔監視システムへ信号を送信しよう。
【００１８】
トレイ６８は、図１１に示した複数の換気孔８０もまた含む。モジュール１６を盤１０の一部としてシャーシ３８内に挿入すると、孔８０は上方に配置し、底部３０の孔４１に対し同様に傾斜させる。この配置と配向がモジュール１６の部品を横断して上部２８内の孔４２を通って盤１０を出て行く孔４１と孔８０を介する空気流の改善に役立つ。
【００１９】
上記の如く、図１４はモジュール１６の部品を接続する回路網を概略示すものである。モジュール１６をシャーシ３８内に装着して盤１０を組み立て得るよう全ての導体をモジュール１６内の内装部５５内に嵌合させる限り、図１４に示した仕方で部品間で電流を搬送するのに様々な導体や方法を用い得ることは理解されたい。
【００２０】
図示の如く、モジュール１６は一対の電力入力端子２２を含み、そのそれぞれが二つのヒューズ１２を介して二つの出力端子２４へ電力を供給する。盤１０は、二つのモジュール１６を含む。かくして、盤１０は最大４個の異なる電源から電力を受け取り、最大８個の異なるデバイスへ電力を供給することができる。盤１０から電力を受け取る各デバイスは、ヒューズ１２の形での回路保護を含む個別回路を介して電力を受け取る。盤１０と共に用いるモジュールの他の構成や配置をより多いか少ない入力及び出力端子をもって配設できることは、事前に察されたい。これらの端子は、異なるヒューズ種や回路遮断器等の異なる種の回路保護装置を有する回路網を接続することができる。回路網は、ヒューズ警報や低電圧検出器及び警報を含めるか或いは含めないないようにできる。代替配電盤は、より多数又は少数のモジュールを持とう。これらの様々な代替実施形態は、本発明概念内にある。
【００２１】
ここで図１５乃至図１９を参照するに、シャーシ３８がさらに詳しく図示してある。開口４６，５０が、背面壁４４内に画成してある。中央支持体８２は上部２８と底部３０の間を延び、モジュール１６を内装部３４内に装着する幾つかの固締具５４を受け止めている。モジュール１６のうちの一つを、上部２８の前面エッジ４２と底部３０の前面エッジ８８と側部３２の一つから延びる装着フランジ９０と中央支持体８２とが画成する開口８６を介して内装部３４内に挿入する。中央支持体８２とフランジ９０が、前面エッジ８８，４２に隣接配置してある。トレイ６８のエッジ７４は、内装部３４内の一対の案内レールが受けている。各案内レール８４は開口８６各側に底部３０に隣接配置してあり、概ね前面エッジ８８から背面エッジ４３へ延びている。案内レール８４がモジュール１６を内装部３４内に垂直に配置し、かくして入力及び出力端子２２，２４は正確に配置されて開口４６を通って延び、かつモジュール１６の開口５８が適切に配置されて固締具５４の受け入れを保証する。
【００２２】
先の図に示したように、内装部３４内に完全に挿入したときに、モジュール１６は装着フランジ９０に隣接する一つのフランジ７２と中央支持体８２に隣接する一つとでもって位置決めされることになる。固締具５４は、フランジ７２の開口５８を介して挿入することができる。この挿入位置にあっては、電力入力端子２２と電力出力端子２４は開口４６を通って延び、その一方で警報コネクタ４８が開口５０を通って延びている。
【００２３】
ここで図２０乃至図３２を参照するに、一対の代替モジュール１１６を備える配電盤１１０が図示してある。盤１１０とモジュール１１６は、以下に記す幾つかの差異をもって盤１０及びモジュール１６と同様に構成してある。モジュール１１６は、単一の電力入力端子２２と１０個の電力出力端子２４を含む。単一の接触器２６がモジュール１１６に装着し、基板７０上の低電圧検出回路に連結してあり、入力端子２２を介してモジュール１１６へ入力される電力を監視している。モジュール１１６は、単一の低電圧警報ランプ１８と単一の電力ランプ２０と共に前面１４へ装着した１０個のヒューズ１１２を含む。ヒューズ１１２は、ＧＭＴ型ヒューズである。
【００２４】
斯く構成することで、モジュール１１６は単一の電源から電力を受け取り、回路網を介して１０個の個別被保護回路内へ全部で１０個のデバイスへ給電する。２個のモジュール１１６を実装した状態で、盤１１０は全部で２０個のデバイスへ電力を供給する。各入力端子２２は、戻りポスト６２から電池ポスト６０を切り離す中央壁６６を備えるハウジング６４を含む。各出力端子２４は、戻りポスト７６と電池ポスト７８を含む。
【００２５】
代替シャーシ１３８の背面１４４は、各モジュール１１６をして出力端子２４を挿通延出させる開口１４６と、入力端子２２を挿通延出させる開口１４７とを含む。開口５０と接地ポスト５２は、背面４４と同様の大きさ及び構成としてある。シャーシ１３８の残りの部分は、前記したシャーシ３８とほぼ同様である。
【００２６】
モジュール１１６の前面１１４に装着したのは、ヒューズ警報の存在の視覚的指示をもたらすヒューズ警報ランプ１９である。警報コネクタ４８を介してヒューズ警報が遠隔監視システムへ送信されたときに、回路基板７０がランプ１９を照光させよう。
【００２７】
盤１０，１１０により、盤１０や１１０或いは他のモジュールの装着位置を変えることなく、それぞれ二つのモジュール１６，１１６のいずれかが修理或いは交換できるようになっている。モジュール１６，１１６は、それを装着した盤の前面から取り外して交換することができる。例えば、盤１０内に装着されたモジュール１６の一つを交換するには、他のデバイスに対し電力出力コネクタ２４を接続したどのケーブルとも同じく、交換しようとするモジュール１６の電力入力コネクタ２２に接続された電力供給ケーブルを取り外すことになろう。警報コネクタ４８に取り付けた警報ケーブルもまた、取り外す必要があろう。隣接モジュール１６に接続されたケーブルの配置は変える必要なく、他のモジュール１６へ給電する機器をオフライン状態として給電停止する必要はなかろう。固締具５４は、交換対象モジュール１６のフランジ７２上の開口５８から取り除かれよう。モジュールはそこで、盤１０の前面内の開口８６を介して内装部３４から引き抜くことができる。
【００２８】
類似構成の交換モジュール１６を、エッジ７４を案内レール８４内に置いて開口８６内に配置することができ、盤１０内に完全に摺動させる。フランジ７２は中央支持体８２と側方フランジ９０に隣接させ、かくして固締具５４を開口５８を介して挿入して盤１０に係合させ、モジュール１６を内装部３４内の所定位置に保持できよう。電力ケーブルはそこで電力出力端子２４に接続でき、警報ケーブは警報コネクタ４８へ、そして電力ケーブルは電力入力端子２２へ接続することができる。新規モジュール１６は現在稼働中であり、他のデバイスへ電力を供給するのに用いることができる。このモジュール交換が隣接装着したモジュール１６がデバイスへ供給する電力を邪魔せず、また組み込むどんな装着構造盤１０からも盤１０を脱着することなく実行されることに留意されたい。
【００２９】
ここで図３３と図３４を参照するに、第２の代替シャーシ２３８は第２の代替背面板２４４を含む。背面板２４４は入力端子と出力端子の異なる構成をもった他のモジュールだけでなくモジュール１６又はモジュール１１６のいずれかの入力端子２２と出力端子２４を受け入れる大きさの開口１４６をもって構成してある。背面板２４４の開口１４６の一部１５０が、そこを挿通する警報コネクタ４８用に配設してある。背面板２４４は、共通接地ポスト５２もまた含む。背面板２４４が様々に異なる構成のモジュールを受け入れるよう願うが故に、より程度の大きな実装柔軟性がシャーシ２３８によりもたらされる。
【００３０】
背面板２４４を含むシャーシ２３８と共に使用することを意図したモジュールは、好ましくは警報結線４８の構成だけでなくモジュール上の部品の特質と容量を示すモジュール上の刻印もまた含もう。また、シャーシ３８，１３８，２３８を遠隔通信ラック上の二つのラック装置を占有するような構成と大きさに図示し、かくしてシャーシ全体の高さが３．５インチを超えないようにしてあることにも留意されたい。本発明が実装及び盤１０による他の機器に配給する電力量の特定の拘束に対する必要に応じて高さを増減できることは、事前に察されたい。
【００３１】
前述の説明に関し、本発明範囲を変更することなく、特に用いた構成材料と部品の形状と大きさと配置の点で細部に変形をなし得ることは理解されたい。明細書及び記述した態様は例示に過ぎず、本発明の真の範囲と趣旨は広義の特許請求の範囲により示されることを意図するものである。
【図面の簡単な説明】
【００３２】
【図１】本発明の配電盤の正面斜視図である。
【図２】モジュールの一つを分解した状態の図１の配電盤の正面斜視図である。
【図３】図１の配電盤の正面図である。
【図４】図１の配電盤の背面図である。
【図５】図１の配電盤の上面図である。
【図６】図１の配電盤の底面図である。
【図７】図１の配電盤の第１の側部図である。
【図８】図１の配電盤の第２の側部図である。
【図９】図１の配電盤に挿入したモジュールのうちの一つの正面図である。
【図１０】図９のモジュールの背面図である。
【図１１】図９のモジュールの上面図である。
【図１２】図９のモジュールの第１の側部図である。
【図１３】図９のモジュールの第２の側部図である。
【図１４】図９のモジュールに含まれる回路網のブロック線図である。
【図１５】モジュールが一切挿入されていない図１の配電盤のシャーシの正面図である。
【図１６】図１５のシャーシの背面図である。
【図１７】図１５のシャーシの上面図である。
【図１８】図１５のシャーシの第１の側部図である。
【図１９】図１５のシャーシの第２の側部図である。
【図２０】本発明の配電盤の第２実施形態の背面斜視図である。
【図２１】モジュールの一つを分解した図２０の配電盤の背面斜視図である。
【図２２】図２０の配電盤の正面図である。
【図２３】図２０の配電盤の背面図である。
【図２４】図２０の配電盤の上面図である。
【図２５】図２０の配電盤の底面図である。
【図２６】図２０の配電盤の第１の側部図である。
【図２７】図２０の配電盤の第２の側部図である。
【図２８】図２０の配電盤のモジュールのうちの一つの正面図である。
【図２９】図２８のモジュールの背面図である。
【図３０】図２８のモジュールの上面図である。
【図３１】図２８のモジュールの第１の側部図である。
【図３２】図２８のモジュールの第２の側部図である。
【図３３】代替汎用背面板を備える図１５のシャーシの正面図である。
【図３４】図３３のシャシーの背面図である。
【図１】
2006510339.tif 000003
【図２】
2006510339.tif 000004
【図３】
2006510339.tif 000005
【図４】
2006510339.tif 000006
【図５】
2006510339.tif 000007
【図６】
2006510339.tif 000008
【図７】
2006510339.tif 000009
【図８】
2006510339.tif 000010
【図９】
2006510339.tif 000011
【図１０】
2006510339.tif 000012
【図１１】
2006510339.tif 000013
【図１２】
2006510339.tif 000014
【図１３】
2006510339.tif 000015
【図１４】
2006510339.tif 000016
【図１５】
2006510339.tif 000017
【図１６】
2006510339.tif 000018
【図１７】
2006510339.tif 000019
【図１８】
2006510339.tif 000020
【図１９】
2006510339.tif 000021
【図２０】
2006510339.tif 000022
【図２１】
2006510339.tif 000023
【図２２】
2006510339.tif 000024
【図２３】
2006510339.tif 000025
【図２４】
2006510339.tif 000026
【図２５】
2006510339.tif 000027
【図２６】
2006510339.tif 000028
【図２７】
2006510339.tif 000029
【図２８】
2006510339.tif 000030
【図２９】
2006510339.tif 000031
【図３０】
2006510339.tif 000032
【図３１】
2006510339.tif 000033
【図３２】
2006510339.tif 000034
【図３３】
2006510339.tif 000035
【図３４】
2006510339.tif 000036
【国際調査報告】
2006510339.tif 000037
2006510339.tif 000038
2006510339.tif 000039